(57)【特許請求の範囲】
【請求項１】
光磁気ディスクに対するレーザービームのフォーカシングを行うアクチュエータを備えた光ピックアップと、この光ピックアップを搭載したピックアップ搭載部と、このピックアップ搭載部にヘッドアームを介して前記光ピックアップと光磁気ディスクを挟んで対峙するよう設けられた磁気ヘッドと、前記ピックアップ搭載部の両側部を支持し該ピックアップ搭載部を光磁気ディスクの半径方向に沿って往復動可能に案内する一対のガイド軸とを備えた光磁気記録再生装置において、
前記ヘッドアームは、その基端部側が、前記ピックアップ搭載部の裏面側に間隙を隔てて回り込まされ、この状態で該基端部の先端が該ピックアップ搭載部の裏面であって前記一対のガイド軸間の略中間に取着されたことを特徴とする光磁気記録再生装置。
【請求項２】
前記アクチュエータは、前記ピックアップ搭載部のヘッドアームの取着位置と、ヘッドアームの先端部側に近い方のガイド軸との間に設けられたことを特徴とする請求項１に記載の光磁気記録再生装置。
【請求項３】
前記ヘッドアームの先端部側に近い方のガイド軸は、前記ピックアップ搭載部の一側部に貫設されたことを特徴とする請求項２に記載の光磁気記録再生装置。
【請求項４】
前記ヘッドアームの基端部の先端は、前記ピックアップ搭載部の裏面において前記一対のガイド軸間の略中間に位置するよう突設された凸部に取着されるとともに、前記磁気ヘッドは、前記ヘッドアームの先端部にサスペンション部を介して設けられたことを特徴とする請求項１乃至３のいずれか１つに記載の光磁気記録再生装置。
【発明の詳細な説明】
【０００１】
【発明の属する技術分野】
本発明は、光磁気記録再生装置に関する。特に、アクチュエータ反力によりフォーカス振動が発生しても、光磁気ディスクにフォーカス振動が伝わるのを抑制する光磁気記録再生装置に関する。
【０００２】
【従来の技術】
従来の光磁気記録再生装置を、図８および図９を用いて以下に詳説する。なお、図８は、光磁気記録再生装置の要部斜視図であり、図９は、光磁気記録再生装置の要部側面図である。
【０００３】
この光磁気記録再生装置８には、光磁気ディスク９に対するレーザービームのフォーカシングを行うアクチュエータを備えた光ピックアップ８１と、この光ピックアップ８１を搭載したピックアップ搭載部８２と、このピックアップ搭載部８２にヘッドアーム８３１を介して光ピックアップ８１と光磁気ディスク９を挟んで対峙するよう設けられた磁気ヘッド８４と、ピックアップ搭載部８２の両側部を支持しピックアップ搭載部８２を光磁気ディスク９の半径方向に沿って往復動可能に案内する一対のガイド軸８５とが設けられている。また、ピックアップ搭載部８２には、ヘッドアーム８３１をネジ（図示省略）止めして取着する磁気ヘッド取付部８６が設けられている。
【０００４】
前記ガイド軸８５はメインガイド軸８５１とサブガイド軸８５２とから構成されている。メインガイド軸８５１はピックアップ搭載部８２の一側部に設けられ、サブガイド軸８５２はピックアップ搭載部８２の他側部に設けられている。また、前記磁気ヘッド取付部８６は、ピックアップ搭載部８２の一側面に設けられている。
【０００５】
前記ヘッドアーム８３１の先端部８３１ａにはサスペンション部８３２の基端部８３２ｂが結合され、このサスペンション部８３２の先端部８３２ａに磁気ヘッド８４が弾性取付されている。また、ヘッドアーム８３１の基端部８３１ｂが磁気ヘッド取付部８６にネジ止めして取着されている。
【０００６】
【発明が解決しようとする課題】
ところで、この光磁気記録再生装置８では、フォーカシングの際に光ピックアップ８１のアクチュエータ反力によりフォーカス振動が発生する。
【０００７】
このフォーカス振動は、光ピックアップ８１から、ピックアップ搭載部８２、磁気ヘッド取付部８６、ヘッドアーム８３１、サスペンション部８３２そして磁気ヘッド８４へと伝達され、図９に示すように、磁気ヘッド８４から光磁気ディスク９に伝達される。伝達されたフォーカス振動により光磁気ディスク９の固有振動が励起されてフォーカス共振が発生する。
【０００８】
なお、このピックアップ搭載部８２の振動のピークは、ピックアップ搭載部８２の振動モード時に現れ、フォーカス方向の振動は、各ガイド軸８５１および８５２を節とする振動モード時に顕著に現れる。
【０００９】
次に、このフォーカス振動を、図１０を用いて以下に詳説する。なお、図１０は、フォーカス振動が発生している光磁気記録再生装置８の要部側面図である。
【００１０】
フォーカシング中、光ピックアップ８１のアクチュエータ反力によりピックアップ搭載部８２の両側部が、図１０に示すように、たわみ角θだけフォーカス方向に変形される。この変形にともなって、一側面に設けられた磁気ヘッド取付部８６がたわみ角θだけ回転させられる。この回転にともないヘッドアーム８３１、サスペンション部８３２および磁気ヘッド８４も同様にたわみ角θだけ回転させられる。回転させられた磁気ヘッド８４が光磁気ディスク９にたわみ角θを有して接触し、光磁気ディスク９にフォーカス振動が伝達される。
【００１１】
このように、磁気ヘッド８４がたわみ角θを有して光磁気ディスク９と接触するため、磁気ヘッド８４と光磁気ディスク９との接触状態が不安定になり、光磁気ディスク９にフォーカス振動が伝達される。伝達されたフォーカス振動により光磁気ディスク９の固有振動が励起されてフォーカス共振が発生する。また、接触状態が不安定になるだけでなく磁気ヘッド８４が破損することもある。
【００１２】
そこで、上記課題を解決するために本発明は、アクチュエータ反力によりフォーカス振動が発生しても、光磁気ディスクにフォーカス振動が伝わるのを抑制することでフォーカス共振が発生するのを抑制する光磁気記録再生装置を提供することを目的とする。
【００１３】
【課題を解決するための手段】
上記目的を達成するため本発明に係る光磁気記録再生装置は、光磁気ディスクに対するレーザービームのフォーカシングを行うアクチュエータを備えた光ピックアップと、この光ピックアップを搭載したピックアップ搭載部と、このピックアップ搭載部にヘッドアームを介して前記光ピックアップと光磁気ディスクを挟んで対峙するよう設けられた磁気ヘッドと、前記ピックアップ搭載部の両側部を支持し該ピックアップ搭載部を光磁気ディスクの半径方向に沿って往復動可能に案内する一対のガイド軸とを備えた光磁気記録再生装置において、前記ヘッドアームは、その基端部側が、前記ピックアップ搭載部の裏面側に間隙を隔てて回り込まされ、この状態で該基端部の先端が該ピックアップ搭載部の裏面であって前記一対のガイド軸間の略中間に取着されたことを特徴とする。
【００１４】
この発明によれば、ヘッドアームは、その基端部側が、ピックアップ搭載部の裏面側に間隙を隔てて回り込まされ、この状態で基端部の先端がピックアップ搭載部の裏面であって前記一対のガイド軸間の略中間に取着されているので、ヘッドアームはフォーカス方向に回転することはない。その結果、ヘッドアームを介してピックアップ搭載部に設けられた磁気ヘッドにフォーカス振動が伝わるのを抑制することが可能となり、光磁気ディスクにフォーカス振動が伝わるのを抑制することでフォーカス共振が発生するのを抑制することが可能となる。
【００１５】
上記アクチュエータは、上記ピックアップ搭載部のヘッドアームの取着位置と、ヘッドアームの先端部側に近い方のガイド軸との間に設けられてもよい。
【００１６】
この場合、アクチュエータがピックアップ搭載部のヘッドアームの取着位置と、ヘッドアームの先端部側に近い方のガイド軸との間に設けられているので、ヘッドアームがフォーカス方向に回転するのを抑制して、光磁気ディスクにフォーカス振動が伝わるのを抑制することが可能となる。
【００１７】
上記ヘッドアームの先端部側に近い方のガイド軸は、上記ピックアップ搭載部の一側部に貫設されてもよい。
【００１８】
この場合、ヘッドアームの先端部側に近い方のガイド軸がピックアップ搭載部の一側部に貫設されているので、ピックアップ搭載部の一側部ではアクチュエータ反力に対して安定させることが可能となる。
【００１９】
上記ヘッドアームの基端部の先端は、上記ピックアップ搭載部の裏面において上記一対のガイド軸間の略中間に位置するよう突設された凸部に取着されるとともに、上記磁気ヘッドは、上記ヘッドアームの先端部にサスペンション部を介して設けられてもよい。
【００２０】
この場合、ヘッドアームの基端部の先端は、上記ピックアップ搭載部の裏面において上記一対のガイド軸間の略中間に位置するよう突設された凸部に取着されているので、ヘッドアームがフォーカス方向に回転するのを抑制して、光磁気ディスクにフォーカス振動が伝わるのを抑制することが可能となる。
【００２１】
【発明の実施の形態】
以下、本発明の実施の形態について図面を参照して説明する。
【００２２】
この光磁気記録再生装置１には、図１および図２に示すように、光磁気ディスク２に対するレーザービームのフォーカシングを行うアクチュエータを備えた光ピックアップ１１と、この光ピックアップ１１を搭載したピックアップ搭載部１２と、このピックアップ搭載部１２にヘッドアーム１３１を介して光ピックアップ１１と光磁気ディスク２を挟んで対峙するよう設けられた磁気ヘッド１４と、ピックアップ搭載部１２の両側部を支持しピックアップ搭載部１２を光磁気ディスク２の半径方向に沿って往復動可能に案内する一対のガイド軸１５とが設けられている。なお、図１は、光磁気記録再生装置１の要部斜視図であり、図２は、光磁気記録再生装置１の要部側面図である。
【００２３】
前記ピックアップ搭載部１２では、光ピックアップ１１を設けたその裏面１２１のガイド軸１５間の略中間にヘッドアーム１３１の基端部１３１ｂの先端がネジ（図示省略）止めして取着されている。このネジ止めする位置は凸に突設（以下、凸部１６という）され、この凸部１６の先端にヘッドアーム１３１の基端部１３１ｂの先端が取着されている。なお、本実施の形態では、ピックアップ搭載部１２にヘッドアーム１３１が設けられているが、これに限定されるものではなく、ヘッドアームがピックアップ搭載部に一体形成されていてもよい。
【００２４】
前記ガイド軸１５はメインガイド軸１５１とサブガイド軸１５２とから構成されている。メインガイド軸１５１はピックアップ搭載部１２の一側部に貫設され、サブガイド軸１５２はピックアップ搭載部１２の他側部に係合されている。
【００２５】
前記ヘッドアーム１３１の先端部１３１ａにはサスペンション部１３２の基端部１３２ｂが結合され、このサスペンション部１３２の先端部１３２ａに磁気ヘッド１４が弾性取付されている。また、ヘッドアーム１３１の基端部１３１ｂが、前記ピックアップ搭載部１２の裏面１２１側に間隙を隔てて回り込まされ、この状態で基端部１３１ｂの先端がピックアップ搭載部１２の裏面１３１ｂの凸部１６にネジ止めして取着されている。また、前記アクチュエータを備えた光ピックアップ１１は、ピックアップ搭載部１２のヘッドアーム１３１の取着位置と、ヘッドアーム１３１の先端部１３１ａ側に近い方のメインガイド軸１５１との間に設けられている。
【００２６】
次に、この光磁気記録再生装置１を用いて、フォーカシングの際に光ピックアップ１１のアクチュエータ反力により発生するフォーカス振動を、図３を用いて以下に詳説する。なお、図３は、フォーカス振動が発生している光磁気記録再生装置１の要部側面図である。
【００２７】
フォーカシング中、光ピックアップ１１のアクチュエータ反力によりピックアップ搭載部１２の両側部が、図３に示すように、フォーカス方向に変形される。この時、図３に示すように、凸部１６は、フォーカス方向に回転しない。回転しない凸部１６にともなって、ヘッドアーム１３１、サスペンション部１３２および磁気ヘッド１４も同様にフォーカス方向に回転しない。回転しない磁気ヘッド１４は、光磁気ディスク２とディスク面に対して水平に安定して接触する。
【００２８】
このように上述した光磁気記録再生装置１によれば、ヘッドアーム１３１は、その基端部１３１ｂ側が、ピックアップ搭載部１２の裏面１２１側に間隙を隔てて回り込まされ、この状態で基端部１３１ｂの先端がピックアップ搭載部１２の裏面１２１の凸部１６に取着されているので、ヘッドアーム１３１はフォーカス方向に回転することはない。その結果、ヘッドアーム１３１を介してピックアップ搭載部１２に設けられた磁気ヘッド１４にフォーカス振動が伝わるのを抑制することができ、光磁気ディスク２にフォーカス振動が伝わるのを抑制することでフォーカス共振が発生するのを抑制することができる。
【００２９】
すなわち、磁気ヘッド１４にフォーカス振動が伝わるのを抑制するので、磁気ヘッド１４がたわみ角をもって光磁気ディスク２と接触するのを防止することができる。
【００３０】
アクチュエータを備えた光ピックアップ１１がピックアップ搭載部１２のヘッドアーム１３１の取着位置と、ヘッドアーム１３１の先端部１３１ａ側に近い方のガイド軸１５１との間に設けられているので、ヘッドアーム１３１がフォーカス方向に回転するのを抑制して、光磁気ディスク２にフォーカス振動が伝わるのを抑制することができる。
【００３１】
メインガイド軸１５１がピックアップ搭載部の一側部に貫設されているので、ピックアップ搭載部１２の一側部ではアクチュエータ反力に対して安定させることができる。
【００３２】
さらに、ヘッドアーム１３１の基端部１３１ｂの先端は、ピックアップ搭載部１２の裏面１２１においてガイド軸１５間の略中間に位置するよう突設された凸部１６に取着されているので、ヘッドアーム１３１がフォーカス方向に回転するのを抑制して、光磁気ディスク２にフォーカス振動が伝わるのを抑制することができる。
【００３３】
なお、本実施の形態では、図２に示すように、ピックアップ搭載部１２裏面１２１にヘッドアーム１３１の基端部１３１ｂの先端を取着する凸部１６が突設されているが、これに限定されるものではなく、図４に示すように、凸部１６の先端が折曲して延出されてもよい。なお、図４は、ヘッドアーム１３１の基端部１３１ｂの先端を取着する凸部１６の先端が折曲して延出された光磁気記録再生装置１の要部側面図。
【００３４】
＜実施例＞
上述した光磁気記録再生装置１（以下、本光磁気記録再生装置１という）と従来の光磁気記録再生装置８を用いて、各々光磁気ディスク２および９の振動振幅を測定した。その測定結果を図５および図６に示す。なお、図５は、本光磁気記録再生装置１を用いて、光磁気ディスク２の振動振幅を測定したグラフであり、図６は、従来の光磁気記録再生装置８を用いて、光磁気ディスク９の振動振幅を測定したグラフである。また、図５および図６に示された横軸は、回転させる光磁気ディスク２および９の周波数（Ｈｚ）であり、縦軸は、アクチュエータ反力に対する光磁気ディスク２および９の振動振幅（ｄＢ）である。
【００３５】
本光磁気記録再生装置１と従来の光磁気記録再生装置８とを比較すると、図５に示された本光磁気記録再生装置１を用いた場合、周波数が２ｋＨｚを越えると光磁気ディスク２の振動振幅に変化があまり見られないが、図６に示された従来の光磁気記録再生装置８を用いた場合、周波数が約２〜３ＫＨｚの間において光磁気ディスク９の振動振幅に変化が見られた。
【００３６】
特に周波数が約２．７ｋＨｚの時、従来の光磁気記録再生装置８よりも本光磁気記録再生装置１の方が、光磁気ディスク２の振動振幅が約１０ｄＢ以上抑制されている。このことより、磁気ヘッド１４にアクチュエータからのサーボ帯域付近の振動が伝達されていないことがわかる。
【００３７】
次に、本光磁気記録再生装置１を用い、光ピックアップ１１を設ける位置を変えた時の光磁気ディスク２の振動振幅を調べた。その結果を図７に示す。なお、図７は、光ピックアップ１１を設ける位置を変えた時の光磁気ディスクの振動振幅を測定したグラフである。また、図７に示された横軸は図２に示された光ピックアップ１１を設ける位置Ａ〜Ｅであり、縦軸は、アクチュエータ反力に対する光磁気ディスク２の振動振幅（ｄＢ）である。
【００３８】
図７に示すように、アクチュエータをメインガイド軸１５１の近傍に設けた場合のほうが、サブガイド軸１５２の近傍に設けた場合よりも光磁気ディスク２の振動振幅が抑制されることがわかる。
【００３９】
さらに、本光磁気記録再生装置１を用いて、光ピックアップ１１をピックアップ搭載部１２の他側部に設けた場合の光磁気ディスク２の振動振幅を測定した。
【００４０】
測定した結果、光ピックアップ１１はピックアップ搭載部１２の一側部側に設けられた方が、他側部側に設けられるよりも光磁気ディスク２の振動振幅が抑制された。これは、メインガイド軸１５１が、その外周を規制させた状態でピックアップ搭載部１２と２箇所で摺動可能に貫設されているので、ピックアップ搭載部１２に係合されたサブガイド軸１５２よりもアクチュエータ反力に対して安定していることがわかる。
【００４１】
【発明の効果】
以上、説明したように、本発明にかかる光磁気記録再生装置によれば、アクチュエータ反力によりフォーカス振動が発生しても、光磁気ディスクにフォーカス振動が伝わるのを抑制することでフォーカス共振が発生するのを抑制することができる。
【００４２】
すなわち、ヘッドアームは、その基端部側が、ピックアップ搭載部の裏面側に間隙を隔てて回り込まされ、この状態で基端部の先端がピックアップ搭載部の裏面適所に取着されているので、ヘッドアームはフォーカス方向に回転することはない。その結果、ヘッドアームを介してピックアップ搭載部に設けられた磁気ヘッドにフォーカス振動が伝わるのを抑制することができ、光磁気ディスクにフォーカス振動が伝わるのを抑制することでフォーカス共振が発生するのを抑制することができる。そのため、磁気ヘッドがたわみ角をもって光磁気ディスクと接触するのを防止することができる。
【図面の簡単な説明】
【図１】本実施の形態にかかる光磁気記録再生装置の要部斜視図である。
【図２】本実施の形態にかかる光磁気記録再生装置の要部側面図である。
【図３】本実施の形態にかかる、フォーカス振動が発生している光磁気記録再生装置の要部側面図である。
【図４】本実施の形態にかかる、ヘッドアームの基端部の先端を取着する凸部の先端が折曲して延出された光磁気記録再生装置の要部側面図である。
【図５】本実施の形態にかかる光磁気記録再生装置を用いて、光磁気ディスクの振動振幅を測定したグラフである。
【図６】従来の光磁気記録再生装置を用いて、光磁気ディスクの振動振幅を測定したグラフである。
【図７】本実施の形態にかかる、光ピックアップを設ける位置を変えた時の光磁気ディスクの振動振幅を測定したグラフである。
【図８】従来の光磁気記録再生装置の要部斜視図である。
【図９】従来の光磁気記録再生装置の要部側面図である。
【図１０】従来の、フォーカス振動が発生している光磁気記録再生装置の要部側面図である。
【符号の説明】
１  光磁気記録再生装置
１１  光ピックアップ
１２  ピックアップ搭載部
１２１  ピックアップ搭載部の裏面
１３１  ヘッドアーム
１３１ａ  ヘッドアームの先端部
１３１ｂ  ヘッドアームの基端部
１３２  サスペンション部
１４  磁気ヘッド
１５１、１５２  ガイド軸
１６  凸部
２  光磁気ディスク
【図１】
0003751890.tif 000002
【図２】
0003751890.tif 000003
【図３】
0003751890.tif 000004
【図４】
0003751890.tif 000005
【図５】
0003751890.tif 000006
【図６】
0003751890.tif 000007
【図７】
0003751890.tif 000008
【図８】
0003751890.tif 000009
【図９】
0003751890.tif 000010
【図１０】
0003751890.tif 000011